(57)【要約】      （修正有）【課題】給紙トレイにセットされた用紙と給紙トレイに設定されている用紙プロファイルとが不一致の場合にその原因が用紙の入れ間違いと用紙プロファイルの設定ミスのいずれにあるかを判別して通知することのできる画像形成装置を提供する。【解決手段】画像形成装置は、給紙トレイから給紙された用紙をインラインのメディアセンサで測定し、その測定結果の物性値が示す用紙と給紙元の給紙トレイに設定されている用紙プロファイルが示す用紙との適合性を判断し、不適合の場合に、給紙元の給紙トレイへの用紙挿入と用紙プロファイルの設定のいずれがメディアセンサによる測定の前の最近に行われたかを調べ、前者が直前に行われていた場合（Ｓ２０５；Ｙｅｓ）は用紙のセットミスを通知し、後者が直前に行われていた場合（Ｓ２０５；Ｎｏ）は用紙プロファイルの設定ミスの可能性と推奨する用紙プロファイルを通知する。【選択図】図６
2019188627.tif 000002
【特許請求の範囲】
【請求項１】
給紙トレイに、用紙プロファイルを設定する用紙プロファイル設定部と、
給紙トレイから用紙を繰り出して搬送する搬送部と、
前記搬送部によって搬送されて来た用紙に、給紙元の給紙トレイに設定された用紙プロファイルに基づいて定めた画像形成条件で画像を形成する画像形成部と、
前記搬送部の搬送経路上にあって搬送される用紙の物性値を測定する用紙物性測定部と、
一の給紙トレイから繰り出されて搬送される用紙を前記用紙物性測定部で測定して得た物性値に基づいて、前記一の給紙トレイから繰り出された用紙と前記一の給紙トレイに設定された用紙プロファイルが示す用紙との適合性を判断する適合性判断部と、
前記一の給紙トレイへの用紙の挿入と前記一の給紙トレイに対する用紙プロファイルの設定のうちのいずれが前記適合性判断部が行った前記判断に係る前記測定の前の最近に行われていたかを調べ、前者の場合は前記判断の結果を第１通知方法で通知し、後者の場合は前記判断の結果を第２通知方法で通知する通知部と、
を有する
ことを特徴とする画像形成装置。
【請求項２】
前記用紙プロファイルには、前記用紙物性測定部が測定する項目の物性値が登録されており、
前記適合性判断部は、前記一の給紙トレイから繰り出されて搬送される用紙を前記用紙物性測定部で測定して得た物性値と、前記一の給紙トレイに設定されている用紙プロファイルに登録されている物性値を比較して前記判断を行う
ことを特徴とする請求項１に記載の画像形成装置。
【請求項３】
前記用紙物性測定部で用紙を測定して得た物性値を前記用紙プロファイルに登録する測定値登録部を有する
ことを特徴とする請求項２に記載の画像形成装置。
【請求項４】
前記用紙プロファイルには、用紙の種類と、用紙の坪量が登録されており、
前記適合性判断部は、前記一の給紙トレイから繰り出されて搬送される用紙を前記用紙物性測定部で測定して得た物性値に基づいて用紙の種類と坪量を求め、該求めた用紙の種類と坪量を、前記一の給紙トレイに設定されている用紙プロファイルに登録されている用紙の種類および坪量と比較して前記判断を行う
ことを特徴とする請求項１に記載の画像形成装置。
【請求項５】
給紙トレイの状態情報を、該給紙トレイに用紙が挿入されたら挿入用紙確認状態に切り替え、該給紙トレイに対して用紙プロファイルが設定登録されたら用紙設定確認状態に切り替え、該給紙トレイから繰り出された用紙が前記用紙物性測定部によって測定されたら確認不要状態に切り替える状態管理部をさらに備え、
前記用紙物性測定部は、給紙トレイの状態情報が、前記挿入用紙確認状態と前記用紙設定確認状態のいずれかであることを条件に前記測定を行い、
前記通知部は、給紙トレイの状態情報が前記挿入用紙確認状態のときに前記用紙物性測定部が実行した測定結果に基づいて前記適合性判断部が前記判断した結果を通知する場合は前記第１通知方法を選択し、給紙トレイの状態情報が前記用紙設定確認状態のときに前記用紙物性測定部が実行した測定結果に基づいて前記適合性判断部が判断した結果を通知する場合は前記第２通知方法を選択する
ことを特徴とする請求項１乃至４のいずれか１つに記載の画像形成装置。
【請求項６】
前記用紙物性測定部は、前記条件の成立する給紙トレイから用紙を繰り出して試し印刷が行われる際に、前記給紙トレイから繰り出された用紙について前記測定を実行する
ことを特徴とする請求項５に記載の画像形成装置。
【請求項７】
前記用紙物性測定部は、前記条件の成立する給紙トレイについては、ユーザからの指示に基づいて前記測定を実行する
ことを特徴とする請求項５に記載の画像形成装置。
【請求項８】
前記通知部は、前記一の給紙トレイから繰り出された用紙と前記一の給紙トレイに設定された用紙プロファイルが示す用紙が前記適合性判断部によって不適合と判断された場合に前記通知を行うと共に、前記第１通知方法では給紙トレイに間違った用紙が挿入されたことを警告し、前記第２通知方法では推奨する用紙プロファイルを通知する
ことを特徴とする請求項１乃至７のいずれか１つに記載の画像形成装置。
【発明の詳細な説明】
【技術分野】
【０００１】
本発明は、給紙トレイに設定された用紙プロファイルと給紙トレイに挿入された用紙との適合性を判断する機能を備えた画像形成装置に関する。
【背景技術】
【０００２】
画像形成装置における出力画像の品質は、画像形成装置の各特性（搬送特性、転写特性、定着特性など）と、用紙の特性（用紙種類、坪量など）が、適合するか否かに大きく依存している。そのため、使用する用紙の特性に合わせて、画像形成装置側の画像形成条件に係る各種パラメータの値を変更する必要がある。多数のパラメータの値を個別にかつ正確に設定するには手間を要すると共に設定ミスも生じ易い。そこで、使用する用紙の種類毎に、その用紙の特性｛属性｝やこれに対応する装置側のパラメータの値などを集約した用紙プロファイルを予め作成してデータベース等に登録しておき、画像形成時には、使用する用紙に対応した用紙プロファイルを選択して指定すれば足りるように装置を構成することで、作業量の軽減とミスの発生防止を図っている。
【０００３】
オペレータは、（１）ジョブで使用する給紙トレイに、該給紙トレイに挿入する用紙に対応した用紙プロファイルを設定する作業と、（２）給紙トレイに該当の種類の用紙をセットする作業、を行えばよい。画像形成装置は、ジョブを実行する際に、そのジョブで給紙元に指定された給紙トレイに設定されている用紙プロファイルを読み込み、該用紙プロファイルに従って装置側の画像形成パラメータ等をセットし、該ジョブで給紙元に指定された給紙トレイから用紙を給紙して画像形成を実行する。
【０００４】
上記のように用紙プロファイルを用いて作業の簡素化を図ったとしても、人為的なミスによる誤設定等が完全に解消されるわけではない。たとえば、オペレータが給紙トレイに間違った用紙プロファイルを設定することがある。また、オペレータが給紙トレイに誤った種類の用紙を挿入することもある。
【０００５】
このような人為的なミスに対応する技術として、下記特許文献１には、給紙トレイの開閉検知に基づいてオペレータによって用紙の変更操作が行われた給紙トレイを判断し、その給紙トレイに対して設定されている用紙属性（用紙プロファイル）の確認をユーザに促して警告する画像形成装置が開示されている。
【０００６】
また、近年は、平滑度など用紙の各種物性値を測定可能なメディアセンサが開発されており、給紙トレイに用紙をセットする前に、メディアセンサで用紙の物性値を測定し、該測定結果と予め登録されている用紙プロファイルとの適合性を判断して適合度の高い順に用紙プロファイルをリスト表示することで、用紙プロファイルの選択ミスを防ぐ、といったことも行われている。
【０００７】
さらに、メディアセンサを用紙の搬送経路上に設け、給紙トレイから給紙された用紙の物性値をメディアセンサで測定し、記憶部に登録されているこれまでの印刷で使用した用紙の特性と異なる特性の用紙が検出された場合に、用紙の搬送を停止する画像形成装置がある（たとえば、下記特許文献２参照）。
【先行技術文献】
【特許文献】
【０００８】
【特許文献１】特開２０１４−１８９７４号公報
【特許文献２】特開２０１７−１７０８５９号公報
【発明の概要】
【発明が解決しようとする課題】
【０００９】
搬送経路上にメディアセンサを設けることで、給紙トレイから給紙された用紙と、その給紙トレイに設定されている用紙プロファイルとが適合（一致)するか否かを判定することは可能になる。しかし、用紙と用紙プロファイルが不適合となるケースには、用紙を入れる給紙トレイをオペレータが間違える場合と、給紙トレイに設定する用紙プロファイルを間違える場合がある。
【００１０】
用紙を入れる給紙トレイを間違えた場合は、正しい給紙トレイに用紙を入れ直さなければならない。用紙を傷つけないように注意払いながら大量の用紙を出し入れする作業には多大な労力と時間を要する。給紙トレイに設定する用紙プロファイルを間違えた場合には、正しい用紙プロファイルを設定し直す必要があるが、印刷ジョブを流し始めてから初めてこの間違いに気付くことが多いため、多量の用紙やトナーが無駄になってしまう。
【００１１】
このように、不適合の原因によってその後の対処が大きく異なるにもかかわらず、従来の画像形成装置では不適合の原因までは判定できないので、不適合検出後の対処を円滑に進めることができなかった。
【００１２】
本発明は、上記の問題を解決しようとするものであり、給紙トレイにセットされた用紙と給紙トレイに設定されている用紙プロファイルとが不適合の場合にその原因が用紙の入れ間違いと用紙プロファイルの設定ミスのいずれにあるかを判別して通知することのできる画像形成装置を提供することを目的としている。
【課題を解決するための手段】
【００１３】
かかる目的を達成するための本発明の要旨とするところは、次の各項の発明に存する。
【００１４】
［１］給紙トレイに、用紙プロファイルを設定する用紙プロファイル設定部と、
給紙トレイから用紙を繰り出して搬送する搬送部と、
前記搬送部によって搬送されて来た用紙に、給紙元の給紙トレイに設定された用紙プロファイルに基づいて定めた画像形成条件で画像を形成する画像形成部と、
前記搬送部の搬送経路上にあって搬送される用紙の物性値を測定する用紙物性測定部と、
一の給紙トレイから繰り出されて搬送される用紙を前記用紙物性測定部で測定して得た物性値に基づいて、前記一の給紙トレイから繰り出された用紙と前記一の給紙トレイに設定された用紙プロファイルが示す用紙との適合性を判断する適合性判断部と、
前記一の給紙トレイへの用紙の挿入と前記一の給紙トレイに対する用紙プロファイルの設定のうちのいずれが前記適合性判断部が行った前記判断に係る前記測定の前の最近に行われていたかを調べ、前者の場合は前記判断の結果を第１通知方法で通知し、後者の場合は前記判断の結果を第２通知方法で通知する通知部と、
を有する
ことを特徴とする画像形成装置。
【００１５】
上記発明では、給紙トレイから給紙された用紙をインラインの用紙物性測定部で測定し、その測定結果の物性値が示す用紙と給紙元の給紙トレイに設定されている用紙プロファイルが示す用紙との適合性を判断し、その判断結果を通知する。この際、給紙元の給紙トレイへの用紙挿入と用紙プロファイルの設定のいずれが用紙物性測定部による測定の前の最近に行われたかを調べ、前者が直前に行われていた場合は第１通知方法で判断結果を通知し、後者が直前に行われていた場合は第２通知方法で判断結果を通知する。たとえば、判断結果が不適合であって用紙挿入が測定の直前に行われていた場合は用紙のセットミスを通知し（第１通知方法）、用紙プロファイルの設定が測定の直前に行われていた場合は用紙プロファイルの設定ミスの可能性を通知する（第２通知方法）。
【００１６】
［２］前記用紙プロファイルには、前記用紙物性測定部が測定する項目の物性値が登録されており、
前記適合性判断部は、前記一の給紙トレイから繰り出されて搬送される用紙を前記用紙物性測定部で測定して得た物性値と、前記一の給紙トレイに設定されている用紙プロファイルに登録されている物性値を比較して前記判断を行う
ことを特徴とする［１］に記載の画像形成装置。
【００１７】
上記発明では、画像形成装置は、測定した物性値と、用紙プロファイルに登録されている物性値を比較することで、給紙トレイに収容されている用紙とその給紙トレイに設定されている用紙プロファイルとの適合性を判断する。
【００１８】
［３］前記用紙物性測定部で用紙を測定して得た物性値を前記用紙プロファイルに登録する測定値登録部を有する
ことを特徴とする［２］に記載の画像形成装置。
【００１９】
上記発明では、画像形成装置は、自装置が有する用紙物性測定部で用紙を測定して得た物性値を用紙プロファイルに登録する機能を有する。
【００２０】
［４］前記用紙プロファイルには、用紙の種類と、用紙の坪量が登録されており、
前記適合性判断部は、前記一の給紙トレイから繰り出されて搬送される用紙を前記用紙物性測定部で測定して得た物性値に基づいて用紙の種類と坪量を求め、該求めた用紙の種類と坪量を、前記一の給紙トレイに設定されている用紙プロファイルに登録されている用紙の種類および坪量と比較して前記判断を行う
ことを特徴とする［１］に記載の画像形成装置。
【００２１】
上記発明では、画像形成装置は、用紙物性測定部で測定して得た物性値に基づいて用紙種類と坪量を求め、これを用紙プロファイルに登録されている用紙種類および坪量と比較することで、給紙トレイに収容されている用紙とその給紙トレイに設定されている用紙プロファイルとの適合性を判断する。
【００２２】
［５］給紙トレイの状態情報を、該給紙トレイに用紙が挿入されたら挿入用紙確認状態に切り替え、該給紙トレイに対して用紙プロファイルが設定登録されたら用紙設定確認状態に切り替え、該給紙トレイから繰り出された用紙が前記用紙物性測定部によって測定されたら確認不要状態に切り替える状態管理部をさらに備え、
前記用紙物性測定部は、給紙トレイの状態情報が、前記挿入用紙確認状態と前記用紙設定確認状態のいずれかであることを条件に前記測定を行い、
前記通知部は、給紙トレイの状態情報が前記挿入用紙確認状態のときに前記用紙物性測定部が実行した測定結果に基づいて前記適合性判断部が前記判断した結果を通知する場合は前記第１通知方法を選択し、給紙トレイの状態情報が前記用紙設定確認状態のときに前記用紙物性測定部が実行した測定結果に基づいて前記適合性判断部が判断した結果を通知する場合は前記第２通知方法を選択する
ことを特徴とする［１］乃至［４］のいずれか１つに記載の画像形成装置。
【００２３】
上記発明では、画像形成装置は給紙トレイの状態を、給紙トレイへの用紙挿入と給紙トレイへの用紙プロファイルの設定と用紙物性測定部による測定のうちで用紙挿入が最近行われたことを示す挿入用紙確認状態と、給紙トレイへの用紙プロファイルの設定が最近行われたことを示す用紙設定確認状態と、用紙物性測定部による測定が最近行われたことを示す確認不要状態の３状態で管理する。用紙物性測定部は、給紙トレイの状態が挿入用紙確認状態と用紙設定確認状態のいずれかであることを条件に物性値の測定を行い、通知部は、適合性判断部の判断に係る物性値の測定が行われたときの給紙トレイの状態に応じて、判断結果の通知方法を切り替える。
【００２４】
［６］前記用紙物性測定部は、前記条件の成立する給紙トレイから用紙を繰り出して試し印刷が行われる際に、前記給紙トレイから繰り出された用紙について前記測定を実行する
ことを特徴とする［５］に記載の画像形成装置。
【００２５】
上記発明では、試し印刷のときに用紙の物性値を測定することで、物性値の測定のみを目的にして給紙トレイから用紙を繰り出す場合に比べて、用紙の消費を抑えることができる。
【００２６】
［７］前記用紙物性測定部は、前記条件の成立する給紙トレイについては、ユーザからの指示に基づいて前記測定を実行する
ことを特徴とする［５］に記載の画像形成装置。
【００２７】
［８］前記通知部は、前記一の給紙トレイから繰り出された用紙と前記一の給紙トレイに設定された用紙プロファイルが示す用紙が前記適合性判断部によって不適合と判断された場合に前記通知を行うと共に、前記第１通知方法では給紙トレイに間違った用紙が挿入されたことを警告し、前記第２通知方法では推奨する用紙プロファイルを通知する
ことを特徴とする［１］乃至［７］のいずれか１つに記載の画像形成装置。
【００２８】
上記発明では、不適合の原因に応じた通知を行うので、オペレータは、不適合に対して適切な対処を迅速に行うことができる。
【発明の効果】
【００２９】
本発明に係る画像形成装置によれば、給紙トレイにセットされた用紙と給紙トレイに設定されている用紙プロファイルとの適合性の判断結果の通知方法を、直前の作業が給紙トレイへの用紙挿入であったか給紙トレイへの用紙プロファイルの設定であったかに応じて切り替えるので、たとえば、不適合の場合に、オペレータは通知方法の違いからその原因が用紙の入れ間違いと用紙プロファイルの設定ミスのいずれにあるかを認識して、その後の対処を円滑に進めることができる。
【図面の簡単な説明】
【００３０】
【図１】本発明の実施の形態に係る画像形成装置を含む画像形成システムの構成を示す図である。
【図２】画像形成装置の電気的な概略構成を示すブロック図である。
【図３】メディアセンサの取り付け位置や構造等を示す図である。
【図４】各給紙トレイについて、給紙トレイの状態を示す状態情報が登録された状態情報管理テーブルの一例を示す図である。
【図５】各給紙トレイの状態情報を更新する処理を示す流れ図である。
【図６】メディアセンサで測定した用紙と給紙トレイに設定されている用紙プロファイルとの適合性を判断してその判断結果を通知する処理を示す流れ図である。
【図７】画像形成装置の操作パネルに表示される操作画面の一例を示す図である（表裏調整釦を押下する場合）。
【図８】画像形成装置の操作パネルに表示される表裏調整値設定画面の一例を示す図である。
【図９】画像形成装置の操作パネルに表示される再確認画面の一例を示す図である。
【図１０】画像形成装置の操作パネルに表示される用紙プロファイル設定画面の一例を示す図である。
【図１１】画像形成装置の操作パネルに表示される操作画面の一例を示す図である（用紙確認釦を押下する場合）。
【図１２】画像形成装置の操作パネルに表示される推奨用紙設定画面の一例を示す図である。
【発明を実施するための形態】
【００３１】
以下、図面に基づき本発明の実施の形態を説明する。
【００３２】
図１は、本発明の実施の形態に係る画像形成装置を含む画像形成システム３を示す図である。画像形成システム３は、複数の給紙ユニット５と、画像形成装置１０と、後処理ユニット８を備えて構成される。給紙ユニット５は用紙を収納する給紙トレイを複数備えており、各給紙トレイに収納されている用紙を繰り出して画像形成装置１０に向けて搬送する。画像形成装置１０は、給紙ユニット５から搬送されてきた用紙に画像を形成して後段の後処理ユニット８へ送り出す。後処理ユニット８は、画像形成装置１０から受け入れた用紙に、穴あけ、綴じ、折りなどの後処理を施す機能および画像形成装置１０から受け入れた用紙もしくは当該ユニットで後処理を施した用紙をスタックして保持する機能を果たす。
【００３３】
画像形成装置１０は、給紙ユニット５から到来する用紙を搬送する搬送部１２と、搬送部１２が搬送する用紙に画像を形成する画像形成部１１を備えている。搬送部１２は、搬送経路を構成する多数の搬送ローラ、搬送ガイド、搬送ローラの駆動するモータなどで構成される。画像形成部１１は、無端で環状に掛け渡された中間転写ベルト１１ａと、この中間転写ベルト１１ａに沿って配置されたC,M,Y,K各色の像形成ユニット１１ｂと、定着装置１１ｃなどで構成される。
【００３４】
画像形成部１１は、像形成ユニット１１ｂによって中間転写ベルト１１ａ上にC,M,Y,K各色のトナー像を重畳してフルカラーのトナー像を形成する。中間転写ベルト１１ａ上に形成されたトナー像は、給紙ユニット５から搬送されてきた用紙に２次転写位置Ｄで転写される。トナー像が転写された用紙は、下流の定着装置１１ｃを通る際に加圧加熱されて該用紙に定着される。定着装置１１ｃを出た用紙は、搬送部１２によって後段の後処理ユニット８に向けて搬送される。なお、画像形成装置１０の画像形成部１１は上記のようなタンデム式の電子写真方式に限定されない。
【００３５】
画像形成装置１０内の搬送経路上の所定箇所には、搬送される用紙の各種物性値を測定する機能を果たすメディアセンサ（用紙物性測定部）１３が設けてある。
【００３６】
さらに画像形成装置１０は、オペレータから各種の操作を受け付ける機能、および、設定画面・操作画面、装置状態、警告等を表示する機能を果たす操作パネル１４を備えている。
【００３７】
画像形成装置１０は、給紙トレイ毎に、用紙プロファイルを設定するようになっており、給紙トレイから給紙した用紙に画像を形成するとき、その給紙トレイに設定されている用紙プロファイルに基づいて定めた画像形成条件で画像を形成する。用紙プロファイルは、用紙の属性・特性（用紙種類、坪量）を示す情報を集約したものである。たとえば、画像形成装置１０は、用紙プロファイルに登録されている坪量等の情報に基づいて用紙の搬送速度や定着温度を切り換える。なお、用紙プロファイルには用紙に画像形成するときに使用すべき画像形成装置側の各種パラメータ値（たとえば、パンチ穴の位置）などをさらに登録してもよい。
【００３８】
画像形成装置１０は、給紙トレイから繰り出されて搬送されて来た用紙の各種物性値をメディアセンサ１３で測定し、その測定結果に基づいて、この用紙と給紙元の給紙トレイに設定されている用紙プロファイルとの適合性を判断する。そして、用紙と給紙元の給紙トレイに設定されている用紙プロファイルとが不適合(不一致)であると判断した場合に、その旨の警告や対処方法をオペレータに通知する用紙適合性判定機能を有する。通知する際には、不適合(不一致)の原因が給紙トレイへの用紙の入れ間違いであるか、給紙トレイに対する用紙プロファイルの設定ミスであるかを判別しオペレータに不適合の原因やその原因に応じた対処方法を通知する。
【００３９】
なお、画像形成装置１０は、メディアセンサ１３で測定して得た各物性値を、指定された用紙プロファイルに登録する機能を備えている。外部のメディアセンサで測定した物性値を取得して用紙プロファイルに登録するようにしてもよい。
【００４０】
図２は、画像形成装置１０の電気的な概略構成を示すブロック図である。画像形成装置１０は、画像処理部２０と、本体部３０を有し、画像処理部２０には、ＰＣ端末などの外部端末がＬＡＮなどのネットワークを介して接続される。画像処理部２０は外部端末から送られてくる印刷ジョブに係る印刷データをラスタライズしてビットマップ形式のイメージデータを生成するＲＩＰ（Raster Image Processor）機能等を果たす。
【００４１】
画像処理部２０は、画像処理部２０の動作を統括制御するコントローラ制御ＣＰＵ（Central Processing Unit）２１、ＬＡＮに接続するための通信機能を果たすＬＡＮＩ／Ｆ部（Interface）部２４、ＲＩＰ処理により生成したイメージデータなどを記憶する画像メモリ２３、画像メモリ２３へのデータのリード／ライト機能、画像データの本体部３０への転送等を行うＤＲＡＭ（Dynamic Random Access Memory）制御部２２、多数の用紙プロファイルを記憶する用紙プロファイル記憶部２５を備えている。
【００４２】
このほか、コントローラ制御ＣＰＵ２１には、当該コントローラ制御ＣＰＵ２１が読み出して実行するプログラムや固定データが記憶されたＲＯＭ（Read Only Memory）、コントローラ制御ＣＰＵ２１がプログラムを実行する際に各種データを一時的に格納するためのワークメモリとして使用されるＲＡＭ（Random Access Memory）などが接続されている。
【００４３】
本体部３０は、本体部３０の動作を制御する制御部４０に、操作パネル１４と、プリントエンジン部３３を接続して構成される。プリントエンジン部３３は、前述の画像形成部１１、搬送部１２、メディアセンサ１３のほか、プリントエンジン部３３全体の動作を制御するプリンタ制御部３３ｂを有する。プリンタ制御部３３ｂには先ほど説明したメディアセンサ１３、プリントエンジン部３３が有するモータ、ソレノイド、センサなどの各種電気部品が接続されている。
【００４４】
操作パネル１４は、液晶ディスプレイ（ＬＣＤ（Liquid Crystal Display））と、その画面上に敷設されたタッチスイッチやその他のスイッチから成る操作部と、これらを制御する操作表示制御部（ＣＰＵ）を有して構成される。
【００４５】
制御部４０は、画像形成装置１０の本体部３０の動作を統括制御する機能を果たし、ＤＲＡＭ制御部４１と、画像制御ＣＰＵ４２と、不揮発メモリ４３と、読み取り処理部４４と、圧縮ＩＣ（Integrated Circuit）４５と、書き込み処理部４７と、伸張ＩＣ４８と、半導体メモリで構成された画像メモリ５０などを備えて構成される。
【００４６】
読み取り処理部４４は、入力される画像データに対して拡大処理、鏡像処理、誤差拡散処理などを施す機能を果たす。圧縮ＩＣ４５は画像データを圧縮し、伸張ＩＣ４８は圧縮された画像データ（圧縮画像データ）を元のイメージデータに伸張する機能を果たす。
【００４７】
画像メモリ５０は、非圧縮の画像データをページ単位で記憶可能なページメモリ５２としての機能と、圧縮画像データを記憶する圧縮メモリ５１などとして使用される。
【００４８】
書き込み処理部４７は、圧縮メモリ５１から読み出して伸張された画像データに応じて像形成ユニット１１ｂのレーザーダイオード（ＬＤ）をオン/オフさせるための信号を、画像形成部１１の動作に応じたタイミングで出力する機能を果たす。
【００４９】
ＤＲＡＭ制御部４１は、ダイナミックＲＡＭからなる画像メモリ５０へのリード・ライトおよびリフレッシュのタイミング制御や、画像データを圧縮して圧縮メモリ５１に格納したり、圧縮メモリ５１から圧縮画像データを読み出して伸張したりする際のタイミング制御などを行う。またＤＲＡＭ制御部４１はＰＣＩ（Peripheral Component Interconnect）バス５４を通じて画像処理部２０のＤＲＡＭ制御部２２と接続されており、画像処理部２０との間でＰＣＩバス５４を通じて各種のデータを授受する機能を果たす。
【００５０】
画像制御ＣＰＵ４２は、本体部３０の動作全体を制御する機能を果たす。画像制御ＣＰＵ４２は、ＣＰＵおよびＲＯＭ、ＲＡＭを主要部とする回路で構成されており、ＲＯＭに格納されたプログラムに従って各種の制御を実行する。このＲＯＭには、プログラムや各種固定データなどが記憶されており、ＣＰＵはＲＯＭに格納されたプログラムに従って動作する。ＲＡＭは、ＣＰＵがプログラムを実行する際に各種のデータを一時的に格納するワークメモリとして使用される。
【００５１】
不揮発メモリ４３は、電源オフ後も記憶しておくべきユーザデータやシステムデータなどが記憶されるメモリである。
【００５２】
画像制御ＣＰＵ４２はプログラムを実行することで、適合性判断部、通知部、状態管理部、測定値登録部等の機能を果たす。適合性判断部は、給紙トレイから繰り出されて搬送される用紙をメディアセンサ１３で測定して得た物性値に基づいて、該給紙トレイから繰り出された用紙と給紙元の給紙トレイに設定された用紙プロファイルが示す用紙との適合性を判断する。
【００５３】
通知部は、適合性判断部の判断結果をオペレータに通知する。通知は、表示のほか音声で行ってもよい。通知部は、給紙トレイへの用紙の挿入と該給紙トレイに対する用紙プロファイルの設定のうちのいずれが、適合性判断部が行った判断に係る物性値の測定前の最近に行われていたかを調べ、前者の場合（給紙トレイへの用紙の挿入が測定の直前に行われていた場合）は、適合性判断部による判断の結果を第１通知方法で通知し、後者の場合（給紙トレイへの用紙プロファイルの設定が測定の直前に行われたいた場合）は適合性判断部による判断の結果を第２通知方法で通知する。
【００５４】
測定値登録部は、メディアセンサ１３で用紙を測定して得た物性値を用紙プロファイルに登録する機能を果たす。
【００５５】
状態管理部は、給紙トレイの状態情報を後述する３状態に管理する。
【００５６】
なお、図２に示す画像形成装置１０の構成は一例であり、これに限定されるものではない。
【００５７】
図３は、メディアセンサ１３の取り付け位置や構造等を示している。各給紙トレイから繰り出される用紙の搬送経路は、各給紙トレイの下流で合流したのち、水平搬送、中間搬送、レジスト部、２次転写位置Ｄ、定着装置１１ｃを通るように設けてある。また、搬送経路の一部として、両面印刷のために用紙の表裏を反転する反転機構が設けてある。
【００５８】
メディアセンサ１３は、中間搬送に設けてあり、紙厚センサ、坪量センサ、平滑度センサなどで構成される。
【００５９】
次に、画像形成システム３の画像形成装置１０が有する用紙適合性判定機能について説明する。
【００６０】
画像形成装置１０は、給紙トレイ毎に、その給紙トレイを次の３状態で管理する。
【００６１】
（１）挿入用紙確認状態
用紙の物性値をメディアセンサ１３で測定する必要があって、給紙トレイに対する用紙プロファイルの設定と、給紙トレイへの用紙のセット（給紙トレイの開閉）のうち、給紙トレイの開閉がより最近に行われたことを示す状態である。
【００６２】
（２）用紙設定確認状態
用紙の物性値をメディアセンサ１３で測定する必要があって、給紙トレイに対する用紙プロファイルの設定と、給紙トレイへの用紙のセット（給紙トレイの開閉）のうち、給紙トレイに対する用紙プロファイルの設定がより最近に行われたことを示す状態である。
【００６３】
（３）確認不要状態
用紙の物性値をメディアセンサ１３で測定する必要のない状態である。
【００６４】
すなわち、挿入用紙確認状態は、給紙トレイへの用紙挿入と、給紙トレイへの用紙プロファイルの設定と、給紙トレイから繰り出した用紙のメディアセンサ１３による物性値の測定の３事象のうちで、用紙挿入が最近行われたことを示し、用紙設定確認状態は、上記３事象のうちで給紙トレイへの用紙プロファイルの設定が最近行われたことを示し、確認不要状態は上記３事象のうちでメディアセンサ１３による物性値の測定が最近行われたことを示している。
【００６５】
図４は、各給紙トレイについて、給紙トレイの状態を示す状態情報が登録された状態情報管理テーブル６０の一例を示している。
【００６６】
図５は、画像形成装置１０が、各給紙トレイの状態情報を更新する処理を示す流れ図である。まず、給紙トレイの状態情報を「確認不要状態」に初期設定する（ステップＳ１０１）。その後は、以下の監視を継続的に行い、該当する事象が発生するたびに、給紙トレイの状態情報を変更する。具体的には、給紙トレイの開閉を監視し、給紙トレイの開閉が行われたら（ステップＳ１０２;Ｙｅｓ）、その給紙トレイの状態情報を「挿入用紙確認状態」に変更する（ステップＳ１０３）。
【００６７】
また、給紙トレイに対して用紙プロファイルが設定された否か、および設定されている用紙プロファイルが変更されたか否かを監視し、いずれかの事象が発生した場合は（ステップＳ１０４;Ｙｅｓ）、その給紙トレイの状態情報を「用紙設定確認状態」に変更する（ステップＳ１０５）。
【００６８】
また、メディアセンサ１３を用いて用紙の物性値が測定されたら（ステップＳ１０６;Ｙｅｓ）、その用紙の給紙元の給紙トレイの状態情報を「確認不要状態」に変更する。
【００６９】
次に、画像形成装置１０が、給紙トレイにセットされている用紙と給紙トレイに設定されている用紙プロファイルの適合性を判断し、不適合(不一致)の場合に警告や対処方法をオペレータに通知する用紙適合性判定機能の係る処理について説明する。この処理は、たとえば、用紙表面の画像と裏面の画像の位置合わせ(表裏調整)をするための試し印刷を行う際に実行される。なお、表裏調整の試し印刷では、位置合わせ用のトンボが用紙に印刷される。
【００７０】
図６は、用紙適合性判定機能の係る処理を示す流れ図である。ここでは、表裏調整のための試し印刷を行う際にこの処理が実行されたものとする。画像形成装置１０は、表裏調整のための試し印刷を行うにあたって、用紙の給紙元に設定されている給紙トレイの状態情報が「確認不要状態」か否かを調べる（ステップＳ２０１）。給紙元に設定されている給紙トレイの状態情報が「確認不要状態」ならば（ステップＳ２０１;Ｙｅｓ）、適合性の判断は不要と判断し、試し印刷を行って、本処理を終了する。
【００７１】
給紙元に設定されている給紙トレイの状態情報が「確認不要状態」でなければ、試し印刷を開始し、該試し印刷において搬送される用紙の物性値をメディアセンサ１３で測定する(ステップＳ２０２)。
【００７２】
次に、画像形成装置１０は、メディアセンサ１３で測定して得た物性値に基づいて、給紙元の給紙トレイにセットされている用紙とその給紙トレイに設定されている用紙プロファイルとの適合度を算出する（ステップＳ２０３）。
【００７３】
適合度の算出には、以下のＡ、Ｂの２種類の方法のうちのいずれかを使用する。
【００７４】
（方法Ａ）
用紙プロファイルに、メディアセンサ１３で測定される項目の物性値を予め登録しておき、搬送中の用紙をメディアセンサ１３で測定して得た物性値と、その用紙の給紙元の給紙トレイに設定されている用紙プロファイルに登録されている物性値とを比較して、適合度を求める。なお、画像形成装置１０は、メディアセンサ１３で測定した各物性値を、指定された用紙プロファイルに登録する機能を備えている。
【００７５】
（方法Ｂ）
搬送中の用紙をメディアセンサ１３で測定して得た物性値から、この物性値に対応する用紙種類と坪量を求め、該用紙種類、坪量と、用紙プロファイルに登録されている用紙種類、坪量とを比較して、適合度を算出する。方法Ｂでは、たとえば、物性値を用紙種類や坪量に変換する変換テーブルを予め作成しておき、実測で得た物性値で該変換テーブルを参照することにより、物性値を用紙種類や坪量に変換する。
【００７６】
算出した適合度が閾値以上ならば（ステップＳ２０４;Ｙｅｓ）、給紙元の給紙トレイにセットされている用紙とその給紙トレイに設定されている用紙プロファイルとの組み合わせは適合（一致）すると判断して、ステップＳ２０８へ移行する。
【００７７】
算出した適合度が閾値未満ならば（ステップＳ２０４;Ｎｏ）、給紙元の給紙トレイにセットされている用紙とその給紙トレイに設定されている用紙プロファイルとは不適合（不一致）であると判断する。そして、給紙元の給紙トレイの状態情報が「挿入用紙確認状態」であるか「用紙設定確認状態」であるかを確認する（ステップＳ２０５）。
【００７８】
給紙元の給紙トレイの状態情報が「挿入用紙確認状態」ならば(ステップＳ２０５;Ｙｅｓ)、この試し印刷の前に、給紙トレイに対する用紙プロファイルの設定と給紙トレイへの用紙のセット（給紙トレイの開閉）のうち、給紙トレイの開閉がより最近に行われているので、給紙元の給紙トレイにセットする用紙を間違えたことが不適合の原因であると判断する。そして、不適合の原因が、用紙のセットミスであることをオペレータに通知する後述の再確認画面を表示して（ステップＳ２０６）、ステップＳ２０８へ移行する。
【００７９】
給紙元の給紙トレイの状態情報が「用紙設定確認状態」ならば(ステップＳ２０５;Ｎｏ)、この試し印刷の前に、給紙トレイに対する用紙プロファイルの設定と給紙トレイへの用紙のセット（給紙トレイの開閉）のうち、用紙プロファイルの設定がより最近に行われているので、給紙元の給紙トレイに対する用紙プロファイルの設定ミスが不適合の原因であると判断する。そして、不適合の原因が、用紙プロファイルの設定ミスであることをオペレータに通知し、その対処に適した後述の推奨用紙設定画面を表示して（ステップＳ２０７）、ステップＳ２０８へ移行する。
【００８０】
ステップＳ２０８では、給紙元の給紙トレイの状態情報を「確認不要状態」に変更し、本処理を終了する。なお、ステップＳ２０８は、図５のステップＳ１０７に相当する。
【００８１】
印刷ジョブで使用する給紙トレイが複数ある場合には、その複数の給紙トレイのそれぞれについて図６の処理が行われる。また、図６の処理は、表裏調整等の試し印刷の際に行うほか、オペレータからの個別の指示に基づいて実行してもよい。たとえば、画像形成装置１０は、チェック対象の給紙トレイの指定を受け付けた後、用紙適合性判定機能の実行指示をオペレータから受けると、チェック対象に指定されているそれぞれの給紙トレイについて、図６に示す処理を実行する。この際、給紙トレイの状態情報が「確認不要状態」でない給紙トレイ（「挿入用紙確認状態」もしくは「用紙設定確認状態」のもの）についてのみ用紙を繰り出し、メディアセンサ１３で測定し、適合度を判定すればよい。
【００８２】
次に、印刷時にオペレータが行う作業の流れと用紙適合性判定機能に係る動作および表示画面について説明する。
【００８３】
＜用紙プロファイルの設定後に用紙挿入が行われる場合＞
（１）オペレータは、印刷ジョブで使用する各給紙トレイに用紙プロファイルを設定した後、給紙トレイを開閉して各給紙トレイに用紙を挿入しセットする。
【００８４】
（２）上記の操作を受ける毎に、画像形成装置１０は、開閉された給紙トレイの状態情報を「挿入用紙確認状態」に変更する（図５、ステップＳ１０３）。
【００８５】
（３）オペレータは、必要な給紙トレイのすべてに用紙を挿入し終えると、操作パネル１４に表示された操作画面７０(図７参照)にある表裏調整釦７１を押下して、表裏調整の実行を指示する。なお、オペレータは、表裏の位置等を変更して調整する必要がある場合は、図８に示す表裏調整値設定画面７４を開いて、調整値を設定変更する。調整値の設定が完了したら「印刷モードへ」釦７５を押下すると、図７の操作画面７０に戻る。
【００８６】
（４）画像形成装置１０は、表裏調整の印刷（試し印刷）時に図６の処理を行う。この場合にステップＳ２０４でＮｏ（不適合）になると、ステップＳ２０６に移行して、図９に示すような、用紙の入れ間違いを示唆する再確認画面７８を表示する。また、給紙元の給紙トレイの状態情報を「確認不要状態」に変更する（ステップＳ２０８）。
【００８７】
再確認画面７８では、給紙元の給紙トレイ（この例ではトレイ１）に入れた用紙と、トレイ１に設定されている用紙プロファイルが不適合（不一致）であることを通知すると共に、その不適合の原因が用紙をセットした給紙トレイの間違いであることを表示する。
【００８８】
＜用紙挿入後に用紙プロファイルの設定が行われる場合＞
（１）オペレータは、印刷ジョブで使用する各給紙トレイに用紙を挿入した後、給紙トレイに対して用紙プロファイルを設定する。図１０は、用紙プロファイル設定画面８０の一例を示している。この画面では用紙プロファイルに登録する各項目の値を個別に設定変更することができる。既に登録されている用紙プロファイルを呼び出して給紙トレイに紐付けるようにしてもよい。オペレータは設定が必要な各給紙トレイについて用紙プロファイルの設定を行う。
【００８９】
（２）画像形成装置１０は、給紙トレイに対する用紙プロファイルの設定を受ける毎に、その給紙トレイの状態情報を「用紙設定確認状態」に変更する（図５、ステップＳ１０５）。
【００９０】
（３）オペレータは、用紙プロファイルの設定操作が完了すると、操作画面７０において用紙確認釦７２を押下する（図１１参照）。
【００９１】
（４）この操作を受けた画像形成装置１０は、状態情報が「用紙設定確認状態」になっている給紙トレイのそれぞれについて（たとえば、トレイ番号の若い順に）、その給紙トレイから用紙を給紙して後処理ユニット８へ排出すると共に、図６に示す処理を実行する。これにより、搬送中の用紙の物性値がメディアセンサ１３で測定され、給紙トレイにセットされている用紙とその給紙トレイに設定されている用紙プロファイルとの適合性が判定される。
【００９２】
（５）画像形成装置１０は、不適合（不一致）と判断すると（図６のステップＳ２０４；Ｎｏ）、ステップＳ２０７へ移行して、図１２に示すような推奨用紙設定画面８５を操作パネル１４に表示する。推奨用紙設定画面８５には、適合度の高い順に、用紙プロファイルがリスト表示される。推奨用紙設定画面８５に、不適合の原因が給紙トレイに対する用紙プロファイルの設定ミスである可能性が高いことを表示してもよい。
【００９３】
なお、適合度が低い場合でも、その用紙プロファイルを意図的に設定している場合があるので、不適合を警告する代わりに、推奨用紙設定画面８５では、より適合度の高い用紙プロファイルが存在することを示し、給紙トレイに設定する用紙プロファイルの変更を推奨している。
【００９４】
推奨用紙設定画面８５にあるプロファイル登録釦８９を押下すると、メディアセンサ１３の測定結果の物性値を、指定の用紙プロファイルに登録することができる。
【００９５】
以上説明したように、実施の形態に係る画像形成装置１０は、給紙トレイにセットされた用紙と給紙トレイに設定されている用紙プロファイルとが不適合（不一致）の場合にその原因が用紙の入れ間違いと用紙プロファイルの設定ミスのいずれにあるかを判別して通知するので、オペレータは間違いの種類を認識して、適切な対処を迅速に行うことができる。特に、不適合の原因が用紙プロファイルの設定ミスであると判断した場合に推奨用紙設定画面８５を表示するので、オペレータは、この表示された画面から必要な変更を直ちに行うことができる。
【００９６】
以上、本発明の実施の形態を図面によって説明してきたが、具体的な構成は実施の形態に示したものに限られるものではなく、本発明の要旨を逸脱しない範囲における変更や追加があっても本発明に含まれる。
【００９７】
実施の形態では、不適合の場合にのみ判断結果をオペレータに通知したが、適合する場合にも判断結果を通知するようにしてもよい。
【符号の説明】
【００９８】
３…画像形成システム
５…給紙ユニット
８…後処理ユニット
１０…画像形成装置
１１…画像形成部
１１ａ…中間転写ベルト
１１ｂ…像形成ユニット
１１ｃ…定着装置
１２…搬送部
１３…メディアセンサ
１４…操作パネル
２０…画像処理部
２１…コントローラ制御ＣＰＵ
２２…ＤＲＡＭ制御部
２３…画像メモリ
２４…ＬＡＮＩ／Ｆ部
２５…用紙プロファイル記憶部
３０…本体部
３３…プリントエンジン部
３３ｂ…プリンタ制御部
４０…制御部
４１…ＤＲＡＭ制御部
４２…画像制御ＣＰＵ
４３…不揮発メモリ
４４…読み取り処理部
４５…圧縮ＩＣ
４７…書き込み処理部
４８…伸張ＩＣ
５０…画像メモリ
５１…圧縮メモリ
５２…ページメモリ
５４…ＰＣＩバス
６０…状態情報管理テーブル
７０…操作画面
７１…表裏調整釦
７２…用紙確認釦
７４…表裏調整値設定画面
７５…「印刷モードへ」釦
７８…再確認画面
８０…用紙プロファイル設定画面
８５…推奨用紙設定画面
【図１】
2019188627.tif 000003
【図２】
2019188627.tif 000004
【図３】
2019188627.tif 000005
【図４】
2019188627.tif 000006
【図５】
2019188627.tif 000007
【図６】
2019188627.tif 000008
【図７】
2019188627.tif 000009
【図８】
2019188627.tif 000010
【図９】
2019188627.tif 000011
【図１０】
2019188627.tif 000012
【図１１】
2019188627.tif 000013
【図１２】
2019188627.tif 000014